(57)【要約】      （修正有）【課題】採点を伴うカラオケの歌唱において、得点のモチベーションをあげるカラオケシステムを提供する。【解決手段】採点機能を持つカラオケ装置がネットワーク上に接続され採点結果をサーバで保存集計するカラオケシステムにおいて、特定の一つまたは複数の楽曲を対象に、歌唱回数、採点結果の得点、得点の累積、或いは得点に歌唱時間を乗じた値の累積が一定の閾値に達した時、得点の合計応じてポイントや景品の褒賞を与え次のステップへ移行させる、褒賞単位のステージが上がるなど得点によるプレミアムを加える。【選択図】図１
2017015820.tif 000002
【特許請求の範囲】
【請求項１】
採点機能を持つカラオケ装置が同一ネットワーク上に接続され、
利用者を会員管理し、
採点結果をサーバで保存集計し、
特定の１または複数の楽曲を対象に、歌唱回数に応じて
或いは歌唱の採点結果の得点に応じて、
或いは歌唱の採点結果の得点の累積に応じて、
或いは歌唱を採点された得点に歌唱時間を乗じた値の累積に応じて、
一定の褒賞単位があることを特徴とするネットワークカラオケシステムにおいて、
褒賞単位は複数あり、
一つの褒賞単位が終了すると次の褒賞単位へ移行し、
上記複数ある褒賞単位の基準が同一であることを妨げず、
次の単位に移行すること自体が褒賞であってもよいことを特徴とするネットワークカラオケシステム。
【発明の詳細な説明】
【技術分野】
【０００１】
本発明は、カラオケの歌唱結果に応じて褒賞を与える技術に関するものである。 
【背景技術】
【０００２】
近年歌番組が減少する中で、同じ楽曲を繰り返し聞く機会は減ってきている。その一方で、ゲームやアニメでは、同じ曲が繰り返し使われるため、アニメの楽曲を聴く機会は増えてきており、カラオケでもアニメソングを歌う利用者が増えており、アニメコラボを行っているカラオケ店も散見される。
【０００３】
カラオケ装置における付加機能として、歌唱者の歌唱状況を採点してその採点結果として得点などをディスプレイに表示する歌唱採点機能がある。この歌唱採点機能は、楽曲歌唱終了時に１曲ごとに表示され、その点数を仲間同士で競ったり、練習することで上達して得点を上げていくという楽しみがあった。
【０００４】
楽曲を歌唱し、採点して得た得点を使って楽しむ試みは各社から出願されている。
【先行技術文献】
【特許文献】
【０００５】
【特許文献１】特開平９−２６５２９３号公報
【特許文献２】特開平６−５１６９６号公報
【発明の概要】
【発明が解決しようとする課題】
【０００６】
特許文献１は、ゲームとカラオケ演奏とを連動させて楽しみを増したカラオケ装置を提供する。スゴロクゲーム盤４５をモニタに表示する。スゴロクゲームは、コマ６０をスタートマス５０からゴールマス５２まで移動させるゲームである。各プレーヤは装置から指示される条件でカラオケを歌唱する。カラオケ装置は、そのカラオケ歌唱を採点しその結果でコマ６０を進める。ゴールするとプレーヤが好きな曲を装飾照明や紙吹雪付きで歌うことができる。
【０００７】
特許文献２は、単独カラオケ歌唱者の場合、又は採点数を競う複数のカラオケ歌唱者の場合の採点の光輝表示の列に「一歩前進」「一歩後退」等の双六型ゲーム表示信号を潜ませて、ゲーム性を添えることを目的とするものである。
【課題を解決するための手段】
【０００８】
特許文献１、特許文献２とも、歌唱採点機能を前提に、その結果をもとに、いわゆる「すごろく」的要素が付加できるという内容であり、その報奨についても歌唱時のステージの演出などが事例として指摘されているものとなっている。
一方、カラオケ店で増えているアニメ等のコンテンツコラボは、歌唱目的の商業施設であるカラオケ店ながら、飲食メニューのオーダーに対応したコンテンツ関連のグッズ提供や、ルーム装飾をコンテンツに因んだものにするなどの施策となっており、カラオケ歌唱そのものとの連動性は必ずしも高くなく、カラオケ店以外の業態で成立するものにとどまっている。
採点を含む、歌唱結果を基にした高度なゲーム構成により、アニメ等のコンテンツの世界観を再現したゲーム要素を実現できれば、カラオケ店ならではのアニメコラボが実現でき、カラオケ店では歌唱度数増加による稼働が増加し、コンテンツメーカーではコンテンツ関連の楽曲・世界観のより強力な告知でコンテンツの認知度をさらに向上でき、さらに利用者はコンテンツの世界観をカラオケをしながらトレースするという新しい楽しみ方を経験できることになる。
【０００９】
上記の課題に鑑み、本発明の請求項１は、 採点機能を持つカラオケ装置が同一ネットワーク上に接続され、利用者を会員管理し、採点結果をサーバで保存集計し、 特定の１または複数の楽曲を対象に、歌唱回数に応じて、或いは歌唱の採点結果の得点に応じて、 或いは歌唱の採点結果の得点の累積に応じて、 或いは歌唱を採点された得点に歌唱時間を乗じた値の累積に応じて、一定の褒賞単位があることを特徴とするネットワークカラオケシステムにおいて、
褒賞単位は複数あり、 一つの褒賞単位が終了すると次の褒賞単位へ移行し、上記複数ある褒賞単位の基準が同一であることを妨げず、次の単位に移行すること自体が褒賞であってもよいことを特徴とするネットワークカラオケシステムである。
【発明の効果】
【００１０】
これにより、カラオケ利用者は、歌唱得点を上げてポイントや景品等をもらうために歌唱上達を目指すようになり、歌唱を競いながらもコンテンツを楽しむゲーム性を違和感なく楽しむことができるようになるだけでなく、次の褒賞単位への移行を目指して、何度も歌唱することが必要になりカラオケ店にとってもメリットになる。
【図面の簡単な説明】
【００１１】
【図１】本発明の実施に係る褒賞単位のイメージを示した説明図である。
【図２】本発明の実施に係る途中経過の表示例を示した説明図である。
【図３】本発明の実施に係る１つのステージ完了時の表示例を示した説明図である。
【発明を実施するための形態】
【００１２】
図１は、本発明の実施に係る褒賞単位のイメージである。 ここでは、各褒賞単位を「ステージ」と呼ぶものとする。
ステージ１ステップ１では、楽曲Ａを歌唱して、得点の合計が２００点になると、次のステップ２へ移行できる。 
ステージ１ステップ２では、楽曲Ｂを歌唱して、得点の合計が２００点になると、次のステージ３へ移行できる。 
ステージ１ステップ３では、楽曲Ｃを歌唱して、得点の合計が２００点になると、ステージ１が終了しステージ１の楽曲Ａ、楽曲Ｂ、楽曲Ｃのいずれかを歌唱して、得点により、６９点以下の場合ステージ１に戻る。７０点〜８９点の場合は、ステージ２へ進む。９０点以上の場合は、ステージ３へ進む。
【００１３】
ステージ２ステップ１では、楽曲Ｄを歌唱して、得点の合計が２００点になると、次のステップ２へ移行できる。 
ステージ２ステップ２では、楽曲Ｅを歌唱して、得点の合計が２００点になると、次のステップ３へ移行できる。 
ステージ２ステップ３では、楽曲Ｆを歌唱して、得点の合計が２００点になると、ステージ２が終了しステージ２の、楽曲Ｄ、楽曲Ｅ、楽曲Ｆのいずれかを歌唱して、得点により、６９点以下の場合ステージ１に戻る。７０点〜８９点の場合はステージ２へ戻る。９０点以上の場合は、ステージ３へ進む。
【００１４】
ステージ３ステップ１では、楽曲Ｇを歌唱して、得点の合計が２００点になると、次のステップ２へ移行できる。 
ステージ３ステップ２では、楽曲Ｈを歌唱して、得点の合計が２００点になると、次のステップ３へ移行できる。 
ステージ３ステップ３では、楽曲Ｉを歌唱して、得点の合計が２００点になると、ステージ３が終了しステージ３の、楽曲Ｇ、楽曲Ｈ、楽曲Ｉのいずれかを歌唱して、得点により、６９点以下の場合ステージ１に戻る。７０点〜８９点の場合はステージ２へ戻る。９０点〜９９点の場合はステージ３に戻り、１００点の場合は、「あがり」となり、プレゼント進呈や、さらに次のステージに移行してもよい。
【００１５】
上記の例では、ステージ１２で１００点を取得した場合のみプレゼントを設定しているが、最後に限らず各ステージの移行時に、褒賞単位に応じた飲食物のポイントや小物等のプレゼントなどを設定してもよい。
【００１６】
図２、図３はそのときの画面イメージである。 
【００１７】
図２は、現時点での得点と次のステップを告知するメッセージを出す例であり、歌唱者にモチベーションを与える。
【００１８】
図３は、１つのステップをクリアしたとき、景品と次のステップの告知をする例である。 
ここでは、ステップごとの得点をクリアした場合、景品のプレゼントと次のステップへの移行という褒賞としているが、景品がなくてステップ移行のみでもよい。
また、プレゼントする物のレベルが、ステージが進むにつれて、アーティストの新譜ＣＤであったり、コンサートチケットなど高額なものにシフトすることでモチベーションを上げることもできる。
【産業上の利用可能性】
【００１９】
これによりカラオケ利用者の歌唱モチベーションを上げるだけでなく、カラオケ店にとっても、利用者により多く歌唱させる機会が増える。また、新しいアーティストを売り出したい事務所やレコード会社にとっては、当該アーティストの楽曲を課題曲のような形で提示し曲を覚えてもらう一助にできる。
【符号の説明】
【００２０】
１・・・カラオケリモコンとして使用する利用者の多機能携帯端末
２・・・カラオケ画面
【図１】
2017015820.tif 000003
【図２】
2017015820.tif 000004
【図３】
2017015820.tif 000005